(57)【要約】【課題】低コストで製造することができ且つ容易に組み立て可能な、簡易な構造を有するコーナー保護部材を提供する。【解決手段】互いに同一の形状及び寸法を有し、互いに分離可能な３つの部片を備えているコーナー保護部材が提供される。３つの部片の各々は、折線に沿って実質的に直角に折り曲げられる板状部材であり、折線は、それぞれ長辺と短辺を有する矩形状の第１の区画と第２の区画の境界を画定しており、第１の区画は、長辺に沿う方向に形成されるスリットを備えており、スリットは、第２の区画の短辺と同じか、または第２の区画の短辺よりも大きな長さを有している、コーナー保護部材。【選択図】図１
2016022966.tif 000002
【特許請求の範囲】
【請求項１】
コーナー保護部材であって、互いに同一の形状及び寸法を有し、互いに分離可能な３つの部片を備えており、
前記３つの部片の各々は、折線に沿って実質的に直角に折り曲げられる板状部材であり、
前記折線は、それぞれ長辺と短辺を有する矩形状の第１の区画と第２の区画の境界を画定しており、
前記第１の区画は、前記長辺に沿う方向に形成されるスリットを備えており、
前記スリットは、前記第２の区画の前記短辺と同じか、または前記第２の区画の前記短辺よりも大きな長さを有している、コーナー保護部材。
【請求項２】
前記３つの部片の前記折線が互いに直角をなすように前記３つの部片が互いに隣接して配置され、前記３つの部片の各々の前記第２の区画が、隣接する部片の前記第１の区画に形成された前記スリットに差し込まれる、請求項１に記載のコーナー保護部材。
【請求項３】
前記３つの部片が板紙で形成されている、請求項１または２に記載のコーナー保護部材。
【請求項４】
前記３つの部片がプラスチック材料で形成されている、請求項１または２に記載のコーナー保護部材。
【請求項５】
前記３つの部片が金属で形成されている、請求項１または２に記載のコーナー保護部材。
【請求項６】
前記３つの部片が撥水性材料でコーティングされている、請求項１〜５のいずれか一項に記載のコーナー保護部材。
【発明の詳細な説明】
【技術分野】
【０００１】
本発明は、梱包用のコーナー保護部材に関する。
【背景技術】
【０００２】
家電製品、家具等の製品を保管または輸送のために梱包する際、特に衝撃で破損し易い隅部を保護するためのコーナー保護部材が知られている。例えば、特開２００５−１１２４００号は、長方形の段ボールを複数の平行な折線に沿って交互に逆方向に折り畳んで組み立てられるコーナー保護部材を記載している。このコーナー保護部材は、互いに直角に折り曲げられる３つの受け部と３つの受け部を直角に折り曲げられた状態で保持する係合用の凹凸部を備えている。また、特開２００６−１３１２９４号は、円形の４分の１を切除した板状体等の厚板状素材を、所定の折線に沿って折り曲げ、組立接合面に形成された楔状の凹凸部を嵌合させることによって組み立てられるコーナー保護部材を記載している。
【先行技術文献】
【特許文献】
【０００３】
【特許文献１】特開２００５−１１２４００号
【特許文献２】特開２００６−１３１２９４号
【発明の概要】
【発明が解決しようとする課題】
【０００４】
特開２００５−１１２４００号のコーナー保護部材は、複雑に配置される折線及び切断線の形成を必要とするため、製造のための設備コストが掛かる。また、その組立作業は、長方形の段ボールを複数回折り曲げた後分割し、さらに折り曲げ、凹凸部を嵌合させることを必要とし、手間が掛かる。特開２００６−１３１２９４号のコーナー保護部材もまた、折線の途中に楔状の凹凸形状の切断線を形成する複雑な加工を必要とし、製造のための設備コストが掛かる。低コストで製造することができ且つ容易に組み立て可能な、簡易な構造を有するコーナー保護部材が望まれている。
【課題を解決するための手段】
【０００５】
請求項１の発明によれば、コーナー保護部材であって、互いに同一の形状及び寸法を有し、互いに分離可能な３つの部片を備えており、３つの部片の各々は、折線に沿って実質的に直角に折り曲げられる板状部材であり、折線は、それぞれ長辺と短辺を有する矩形状の第１の区画と第２の区画の境界を画定しており、第１の区画は、長辺に沿う方向に形成されるスリットを備えており、スリットは、第２の区画の短辺と同じか、または第２の区画の短辺よりも大きな長さを有している、コーナー保護部材が提供される。この構成によれば、コーナー保護部材を構成する３つの部片は、互いに同一の形状及び寸法を有するので、例えば、一枚の板紙から一種類の部片を複数枚打ち抜き加工することによって、コーナー保護部材を容易に製造することができる。また、各部片は、第１の区画と第２の区画の境界を画定する折線と、第１の区画に形成されるスリットとを備える簡易な構成であるので、複雑な切断加工等が不要である。また、一種類の構成要素から組み立てることができるので、組立時に構成要素の組み合わせを誤る虞がない。従って、製造のための設備コストを抑えることができ、且つ、簡単な組み立て作業により容易に組み立てることができるコーナー保護部材を提供することができる。
【０００６】
請求項２の発明によれば、３つの部片の折線が互いに直角をなすように３つの部片が互いに隣接して配置され、３つの部片の各々の第２の区画が、隣接する部片の第１の区画に形成されたスリットに差し込まれる、請求項１に記載のコーナー保護部材が提供される。この構成によれば、３つの部片の折線が互いに直角をなすように、３つの部片を互いに隣接して配置し、各部片の第２の区画を、隣接する部片の第１の区画に形成されたスリットに差し込むことによって３つの部片を互いに固定することができる。このとき、スリットは互いに隣接する部片の間の係合部として作用し、さらに、スリットに差し込まれた各部片は、他の２つの部片の間で強固に挟み込まれて、組み立てられた形態に保持される。従って、組立に接着剤を使用する必要がないので、コーナー保護部材を容易に組み立て及び分解することができる。
【０００７】
請求項３の発明によれば、３つの部片が板紙で形成されている、請求項１または２に記載のコーナー保護部材が提供される。この構成によれば、軽量且つ高い強度を有すると共に環境により優しい素材で、コーナー保護部材を製造することができる。また、折り曲げ加工のための加熱等によって素材を前処理する必要なく、コーナー保護部材を容易に製造することができる。
【０００８】
請求項４の発明によれば、３つの部片がプラスチック材料で形成されている、請求項１または２に記載のコーナー保護部材が提供される。この構成によれば、耐久性に優れるコーナー保護部材を提供することができる。
【０００９】
請求項５の発明によれば、３つの部片が金属で形成されている、請求項１または２に記載のコーナー保護部材が提供される。この構成によれば、耐久性に優れるコーナー保護部材を提供することができる。
【００１０】
請求項６の発明によれば、３つの部片が撥水性材料でコーティングされている、請求項１〜５のいずれか一項に記載のコーナー保護部材が提供される。この構成によれば、耐候性等に優れ、屋外での使用に適したコーナー保護部材を提供することができる。
【発明の効果】
【００１１】
本発明によれば、低コストで製造することができ且つ容易に組み立て可能な、簡易な構造を有するコーナー保護部材を提供することができる。
【図面の簡単な説明】
【００１２】
【図１】本発明の一実施形態に係るコーナー保護部材の組み立てられた形態を示す斜視図である。
【図２】図１のコーナー保護部材を構成する第１の部片、第２の部片、及び第３の部片を示す図である。
【図３】第１の部片と第２の部片を接続する手順の例を示す図である。
【図４】第３の部片を第１及び第２の部片に接続する手順の例を示す図である。
【図５】コーナー保護部材の使用状態の一例を示す図である。
【発明を実施するための形態】
【００１３】
以下、添付図面を参照して、本発明の一実施形態に係るコーナー保護部材を説明する。尚、以下の説明において、「第１の」、「第２の」、または「第３の」という用語は、或る要素を他の要素と区別するために便宜上使用されるものであり、特定の要素の重要性を示すことを意図して使用されるものではない。
【００１４】
［全体概要］
図１は、本発明の一実施形態に係るコーナー保護部材１０の組み立て後の形態を示す。図１に示すように、本実施形態のコーナー保護部材１０は、第１の部片１、第２の部片２及び第３の部片３を備えている。各部片は、図示の例では４つの側部（符号省略）により画定される矩形状（本実施形態では正方形）の板状部材が、それぞれ、Ｌ字形を形成するように所定の折線１４、２４、３４に沿って折り曲げられた形態を有している。第１の部片１、第２の部片２及び第３の部片３は、部分的に重ね合わされて、被梱包物（図示せず）の直交する三面を有する隅部を覆う３つの壁部を形成する。また、第１の部片１、第２の部片２及び第３の部片３は、各部片に形成されたスリット１３、２３、３３を介して互いに接続され且つ固定されている。尚、図示の例では、コーナー保護部材１０は板紙で形成されている。
【００１５】
［第１乃至第３の部片について］
図２は、図１の形態に組み立てられる前の第１の部片１、第２の部片２及び第３の部片３を、互いに分離した状態で示している。図２に示すように、第１の部片１、第２の部片２及び第３の部片３は、互いに同一の形状及び寸法を有している。尚、図２から明らかなように、「互いに同一の形状及び寸法」とは、第１の部片１、第２の部片２及び第３の部片３の矩形状の外形だけでなく、折線１４、２４、３４及びスリット１３、２３、３３の形成位置も含むことを意図する。
【００１６】
ここで、第１の部片１を例にとって説明すると、第１の部片１は、所定の折線１４に沿って実質的に直角に折り曲げられている。これにより、折線１４は、長辺１１ａと短辺１１ｂを有する矩形状の第１の区画１１と、長辺１２ａと短辺１２ｂを有する矩形状の第２の区画１２との間の境界を画定する。本実施形態では、折線１４は、第１の部片１を二等分するように長辺１１ａ、１２ａに対して平行に延びており、従って、第１の区画１１の短辺１１ｂと第２の区画１２の短辺１２ｂは同一の長さを有している。しかし、折線１４の位置は図示されるものに限られない。従って、第１の区画１１の短辺１１ｂの長さと第２の区画１２の短辺１２ｂの長さは異なっていてもよい。
【００１７】
第１の区画１１は、長辺１１ａに沿う方向にスリット１３を備えている。第２の区画１２は、スリットが形成されていない区画である。図示されるように、スリット１３は、第１の区画１１の一方の短辺１１ｂ側で開口しており、他方の短辺１１ｂ側に向けて長辺１１ａに対して実質的に平行に延びている。スリット１３の長さは、第２の区画１２の短辺１２ｂの長さと同じか、またはこれよりも大きく設定されている。これにより、スリット１３は、第１の部片１に隣接して配置される他の部片の第２の区画（例えば、第２の部片２の第２の区画２２）を、第１の区画１１に対して直交する向きで受け入れることができる。尚、スリット１３が形成される位置は、図示されるものには限られない。
【００１８】
尚、図示の例では、スリット１３は、他の部片を構成する板状部材の厚さを受け入れるのに十分な幅を有するように、例えば打ち抜き加工等で形成することができる切欠きの形態を有している。しかし、隣接する部片を受け入れることができる限り、スリット１３は、実質的に幅を有しない切り込み線によって形成されていてもよい。
【００１９】
第１の部片１、第２の部片２及び第３の部片３は同一の形状及び寸法を有しているので、第２の部片２及び第３の部片３の構成については詳しい説明を省略する。第１の部片１と同様に、第２の部片２及び第３の部片３は、それぞれ、所定の折線２４、３４に沿って実質的に直角に折り曲げられており、第２の部片２は、長辺２１ａと短辺２１ｂを有する第１の区画２１と長辺２２ａと短辺２２ｂを有する第２の区画２２とに分割され、第３の部片３は、長辺３１ａと短辺３１ｂを有する第１の区画３１と、長辺３２ａと短辺３２ｂを有する第２の区画３２とに分割されている。第１の区画２１、３１には、長辺２１ａ、３１ａに沿う方向にスリット２３、３３が形成されており、図示の例では、折線２４、３４が各部片を二等分している。第２の部片２のスリット２３は、例えば第３の部片３の第２の区画３２を、第１の区画２１に対して直交する向きで受け入れることができる。第３の部片３の切欠き３３は、例えば第１の部片１の第２の区画１２を、第１の区画３１に対して直交する向きで受け入れることができる。
【００２０】
第１の部片１、第２の部片２及び第３の部片３は、図２に示すように予め折り曲げられた状態で使用者に提供されることができ、この場合、使用者は、例えば、後述する組み立て方法に従って、コーナー保護部材１０を組み立てることができる。しかし、第１の部片１、第２の部片２及び第３の部片３は、予め折り曲げられていなくてもよく、使用者が折り曲げるものであってもよい。また、予め組み立てられた状態で使用者に提供されてもよい。
【００２１】
［コーナー保護部材の組み立て方法について］
次に、コーナー保護部材１０の組み立て方法の例について具体的に説明すると、例えば、第１の部片１を、例えば、図３（Ａ）に示すような任意の向きに配置し、第２の部片２の第２の区画２２が第１の部片１の第１の区画１１と直交するように（換言すれば、第２の区画２２の短辺２２ｂがスリット１３と平行になるような向きで）、第２の部片２をスリット１３に差し込む。これにより、第１の部片１と第２の部片２は、図３（Ｂ）に示すような中間形態に組み立てられる。このとき、第２の部片２の第２の区画２２は、第１の部片１のスリット１３と係合した状態で、一方の短辺２２ｂ側が、折り曲げられた第１の部片１の内側に配置される。
【００２２】
同様に、第３の部片３を第１及び第２の部片１、２に接続する。具体的には、例えば図４（Ａ）に示すように、第２の部片２のスリット２３に第３の部片３の第２の区画３２を、第２の区画３２が第１の区画２１と直交する向きで差し込むと共に、第３の部片３のスリット３３に第１の部片１の第２の区画１２を、第２の区画１２が第１の区画３１と直交する向きで差し込む。これにより、図４（Ｂ）に示すようにコーナー保護部材１０の組立が完了する。このように、本実施形態では、各部片の第２の区画１２、２２、３２が、隣接する部片の第１の区画１１、２１、３１のスリット１３、２３、３３に差し込まれることにより、コーナー保護部材１０が組み立てられる。組み立てられた形態では、第１乃至第３の部片１〜３の折線１４、２４、３４が互いに実質的に直角をなすように、第１乃至第３の部片１〜３が互いに隣接して配置されている。第１の部片１のスリット１３を通して差し込まれた第２の部片２は、スリット１３と係合し、第１の部片１の内側に配置された第２の区画２２の短辺２２ｂ側が、第１の部片１（第１の区画１１）と、これに対向して配置される第３の部片３（第１の区画３１）との間で確実に挟み込まれて締め付けられる。同様に、第２の部片２のスリット２３を通して差し込まれた第３の部片３は、スリット２３と係合し、第２の部片２の内側に配置された第２の区画３２の短辺３２ｂ側が、第２の部片２（第１の区画２１）と、これに対向して配置される第１の部片１（第２の区画１２）との間で確実に挟み込まれて締め付けられる。また、第３の部片３のスリット３３を通して差し込まれた第１の部片１は、スリット３３と係合し、第３の部片３の内側に配置された第２の区画１２の短辺１２ｂ側が、第３の部片３（第１の区画３１）と、これに対向して配置される第２の部片２（第１の区画２１）との間で確実に挟み込まれて締め付けられる。このように、第１の部片１、第２の部片２及び第３の部片３は、互いに強固に固定されて組立形態が保持されるので、固定のための接着剤が不要である。従って、本実施形態のコーナー保護部材１０は、各部片を隣接する部片のスリットに挿入するという簡易な方法で容易に組み立てることができる。また、接着剤を使用しないので、使用後に容易に分解することもでき、その後の再使用も可能である。
【００２３】
また、コーナー保護部材１０を構成する３つの部片１〜３は、互いに同一の形状及び寸法を有するので、例えば、一枚の板紙から一種類の部片を複数枚打ち抜き加工することによって、コーナー保護部材１０を容易に製造することができる。また、各部片は、第１の区画１１、２１、３１と第２の区画１２、２２、３２の境界を画定する折線１４、２４、３４と、第１の区画１１、２１、３１に形成されるスリット１３、２３、３３とを備える簡易な構成であるので、複雑な切断加工等が不要である。また、一種類の構成要素から組み立てることができるので、組立時に構成要素の組み合わせを誤る虞がない。従って、製造のための設備コストを抑えることができ、且つ、簡単な組み立て作業により容易に組み立てることができるコーナー保護部材１０を提供することができる。
【００２４】
尚、コーナー保護部材１０の組立手順は、上記したものに限られない。
【００２５】
上記したように、本実施形態では、コーナー保護部材１０は、板紙で形成されている。板紙は、軽量且つ高い強度を実現することができ、また、生分解性を有するので環境に優しい素材である。しかし、本実施形態に係るコーナー保護部材１０は、プラスチック材料または金属で形成することもできる。この場合、長期の耐久性に優れるコーナー保護部材１０を製造することができる。プラスチック材料で形成する場合は、生分解性プラスチックで形成することが好ましい。金属で形成する場合は、軽量で且つ加工性に優れるアルミニウムで形成することが好ましい。尚、コーナー保護部材１０は、ダンボールで形成することもできる。
【００２６】
また、コーナー保護部材１０は、撥水性材料でコーティングされていてもよい。表面に撥水性を付与することにより、耐候性に優れ、屋外での使用に適したコーナー保護部材１０を提供することができる。
【００２７】
尚、第１乃至第３の部片１〜３に形成される折線１４、２４、３４は、素材である板紙等に形成される刻み線またはミシン目等により形成することができる。
【００２８】
図５にコーナー保護部材１０の使用状態の例を示す。図５に示すように、コーナー保護部材１０は、家電製品や家具等の製品１００の互いに直交する三面を有する隅部を受け入れるように、製品１００に取り付けて使用することができる。コーナー保護部材１０が取り付けられる被梱包物の隅部の形状は特に限定されない。丸みを帯びた隅部でも、長辺の長さを調整することにより取り付け可能である。
【産業上の利用可能性】
【００２９】
本発明は、例えば、隅部を有する製品の梱包材として広く適用することができる。
【符号の説明】
【００３０】
１  第１の部片
２  第２の部片
３  第３の部片
１０  コーナー保護部材
１１、２１、３１  第１の区画
１２、２２、３２  第２の区画
１３、２３、３３  スリット
１４、２４、３４  折線
１１ａ、１２ａ、２１ａ、２２ａ、３１ａ、３２ａ  長辺
１１ｂ、１２ｂ、２１ｂ、２２ｂ、３１ｂ、３２ｂ  短辺
１００  被梱包物
【図１】
2016022966.tif 000003
【図２】
2016022966.tif 000004
【図３】
2016022966.tif 000005
【図４】
2016022966.tif 000006
【図５】
2016022966.tif 000007